(57)【要約】      （修正有）【課題】火災感知器に接続されている回線を、火災受信機の正しい端子に容易に接続できるようにする。【解決手段】火災感知器２に接続された回線Ｗの状況を監視する火災受信機１であって、回線Ｗを接続するための接続端子１６と、接続端子に関連付けられている接続表示部１７と、回線Ｗに接続された接続端子を介して、回線Ｗに接続された終端器３の識別情報を示す信号を受信する通信部１４と、接続端子を介して受信した信号が示す識別情報に対応する情報を、接続端子に関連付けられている接続表示部に表示させる制御部１１と、制御部、通信部、接続端子及び接続表示部を内部に備える筐体と、を有する。【選択図】図２
2019175153.tif 000002
【特許請求の範囲】
【請求項１】
火災感知器に接続された回線の状況を監視する火災受信機であって、
前記回線を接続するための接続端子と、
前記火災感知器が検知した火災を示す情報を表示する表示部と、
前記接続端子に関連付けられている接続表示部と、
前記回線に接続された前記接続端子を介して、前記回線に接続された終端器の識別情報を示す信号を受信する通信部と、
前記接続端子を介して受信した前記信号が示す前記識別情報に対応する情報を、前記接続表示部に表示させる制御部と、
前記接続端子及び前記接続表示部を内部に備える筐体と、
を有する火災受信機。
【請求項２】
前記火災受信機は、複数の前記接続端子と、複数の前記接続端子のそれぞれに関連付けられている複数の前記接続表示部とを有し、
前記制御部は、複数の前記接続端子のうち１つの前記接続端子を介して受信した前記信号が示す前記識別情報に対応する情報を、該１つの前記接続端子に関連付けられている複数の前記接続表示部のうち１つの前記接続表示部に表示させる、請求項１に記載の火災受信機。
【請求項３】
識別情報を記憶する記憶部をさらに有し、
前記制御部は、前記記憶部に記憶された前記識別情報と、前記信号が示す前記識別情報とが一致する場合に、前記接続端子に正しい回線が接続されていると示す情報を、前記接続表示部に表示させる、請求項１又は２に記載の火災受信機。
【請求項４】
前記制御部は、前記信号が示す前記識別情報の少なくとも一部を表す情報を、前記接続表示部に表示させる、請求項１から３のいずれか一項に記載の火災受信機。
【請求項５】
火災感知器に接続された回線の状況を監視する火災受信機と、前記回線の終端部に接続された終端器と、を備え、
前記火災受信機は、
前記回線を接続するための接続端子と、
前記火災感知器が検知した火災を示す情報を表示する表示部と、
前記接続端子に関連付けられている接続表示部と、
前記回線に接続された前記接続端子を介して、前記回線に接続された前記終端器の識別情報を示す信号を受信する通信部と、
前記接続端子を介して受信した前記信号が示す前記識別情報に対応する情報を、前記接続表示部に表示させる制御部と、
前記接続端子及び前記接続表示部を内部に備える筐体と、
を有し、
前記終端器は、前記信号を、前記回線を介して前記火災受信機へ送信する通信部を有する、火災報知システム。
【請求項６】
火災感知器に接続された回線の状況を監視する火災受信機の筐体の内部に設けられている回線判別装置であって、
前記回線を接続するための接続端子と、
前記接続端子に関連付けられている接続表示部と、
前記回線に接続された前記接続端子を介して、前記回線に接続された終端器の識別情報を示す信号を受信する通信部と、
前記信号が示す前記識別情報に対応する情報を、前記接続表示部に表示させる制御部と、
を有する回線判別装置。
【発明の詳細な説明】
【技術分野】
【０００１】
本発明は、火災感知器に接続される回線の状況を監視する火災受信機、回線判別装置及び火災報知システムに関する。
【背景技術】
【０００２】
火災報知システムは、監視対象の地区（警戒区域）に設置されている複数の火災感知器と、火災感知器が感知した火災を報知する火災受信機とを含む。火災受信機は、電線を含む回線で各火災感知器と接続される。回線に断線が発生すると火災受信機が火災を感知できなくなるため、回線の端部には断線を検出するための終端器が設けられる（例えば、特許文献１）。
【０００３】
警戒区域は建物の階層や部屋ごとに予め定義されており、回線は警戒区域ごとに敷設される。火災受信機は回線の一方端に接続され、各警戒区域の終端器は回線の他方端に接続される。各警戒区域の火災感知器は、回線の途中に接続される。そのため、建物の警戒区域が多いほど、建物に敷設される回線の量は多くなる。
【０００４】
火災受信機は、火災受信機上の複数のランプに対応する複数の端子を有している。各端子は、所定の規則（例えば警戒区域に割り振られた番号順）に従って、警戒区域に敷設された複数の回線のいずれかに接続される。警戒区域において火災の発生や断線が発生した場合に、該警戒区域の回線に接続された端子に対応するランプが発光する。端子に正しい回線が接続されていれば、ユーザは、いずれのランプが発光したかに基づいて、いずれの警戒区域において火災の発生や断線が発生したかを判断できる。
【先行技術文献】
【特許文献】
【０００５】
【特許文献１】特開２００７−８００３２号公報
【発明の概要】
【発明が解決しようとする課題】
【０００６】
しかしながら、建物には多数の回線が敷設されており、また火災受信機の位置と警戒区域の位置とは大きく離れていることが多いため、火災受信機の端子に正しい回線を接続するのは容易ではなく、誤接続が起こりやすかった。
【０００７】
本発明はこれらの点に鑑みてなされたものであり、火災感知器に接続されている回線を、火災受信機の正しい端子に容易に接続できるようにする火災受信機、回線判別装置及び火災報知システムを提供することを目的とする。
【課題を解決するための手段】
【０００８】
本発明の第１の態様の火災受信機は、火災感知器に接続された回線の状況を監視する火災受信機であって、前記回線を接続するための接続端子と、前記火災感知器が検知した火災を示す情報を表示する表示部と、前記接続端子に関連付けられている接続表示部と、前記回線に接続された前記接続端子を介して、前記回線に接続された終端器の識別情報を示す信号を受信する通信部と、前記接続端子を介して受信した前記信号が示す前記識別情報に対応する情報を、前記接続表示部に表示させる制御部と、前記接続端子及び前記接続表示部を内部に備える筐体と、を有する。
【０００９】
前記火災受信機は、複数の前記接続端子と、複数の前記接続端子のそれぞれに関連付けられている複数の前記接続表示部とを有し、前記制御部は、複数の前記接続端子のうち１つの前記接続端子を介して受信した前記信号が示す前記識別情報に対応する情報を、該１つの前記接続端子に関連付けられている複数の前記接続表示部のうち１つの前記接続表示部に表示させてもよい。
【００１０】
識別情報を記憶する記憶部をさらに有し、前記制御部は、前記記憶部に記憶された前記識別情報と、前記信号が示す前記識別情報とが一致する場合に、前記接続端子に正しい回線が接続されていると示す情報を前記接続表示部に表示させてもよい。
【００１１】
前記制御部は、前記信号が示す前記識別情報の少なくとも一部を表す情報を、前記接続表示部に表示させてもよい。
【００１２】
本発明の第２の態様の火災報知システムは、火災感知器に接続された回線の状況を監視する火災受信機と、前記回線の終端部に接続された終端器と、を備え、前記火災受信機は、前記回線を接続するための接続端子と、前記火災感知器が検知した火災を示す情報を表示する表示部と、前記接続端子に関連付けられている接続表示部と、前記回線に接続された前記接続端子を介して、前記回線に接続された前記終端器の識別情報を示す信号を受信する通信部と、前記接続端子を介して受信した前記信号が示す前記識別情報に対応する情報を、前記接続表示部に表示させる制御部と、前記接続端子及び前記接続表示部を内部に備える筐体と、を有し、前記終端器は、前記信号を、前記回線を介して前記火災受信機へ送信する通信部を有する。
【００１３】
本発明の第３の態様の回線判別装置は、火災感知器に接続された回線の状況を監視する火災受信機の筐体の内部に設けられている回線判別装置であって、前記回線を接続するための接続端子と、前記接続端子に関連付けられている接続表示部と、前記回線に接続された前記接続端子を介して、前記回線に接続された終端器の識別情報を示す信号を受信する通信部と、前記信号が示す前記識別情報に対応する情報を、前記接続表示部に表示させる制御部と、を有する。
【発明の効果】
【００１４】
本発明によれば、火災感知器に接続されている回線を、火災受信機の正しい端子に容易に接続できるという効果を奏する。
【図面の簡単な説明】
【００１５】
【図１】本実施形態に係る火災報知システムが有する火災受信機の前面図である。
【図２】本実施形態に係る火災報知システムが有する火災受信機の模式図である。
【図３】本実施形態に係る火災報知システムが有する終端器の模式図である。
【図４】応答要求信号及び応答信号の模式図である。
【図５】本実施形態に係る接続表示部の前面図である。
【図６】本実施形態に係る接続表示部の前面図である。
【図７】本実施形態に係る回線判別装置の前面図である。
【図８】本実施形態に係る回線判別方法のフローチャートを示す図である。
【発明を実施するための形態】
【００１６】
［火災報知システムＳの構成］
図１は、本実施形態に係る火災報知システムＳが有する火災受信機１の前面図である。図１において、外部から視認できない部分は破線で表されている。火災受信機１は、火災報知システムＳの各種の動作を司り、火災感知器に接続される回線の状況を監視する制御装置である。火災受信機１は、例えばＰ型火災受信機である。火災受信機１は、制御部１１と、操作部１２と、表示部１３とを有する。また、火災受信機１は、制御部１１を内部に収容する筐体Ｈを有し、筐体Ｈの前面側に開閉可能な扉Ｄを有する。
【００１７】
操作部１２は、ボタン、スイッチ等の操作部材を含む。例えば操作部１２は、火災報知を停止するためのボタンである。また、操作部１２は、後述する終端器の識別情報を入力するためのキーボード機能を有する入力部を含んでもよい。操作部１２は、ユーザ（建物の利用者、自動火災報知設備の施工者等）からの操作を示す信号を、制御部１１へ送信する。表示部１３は、ランプ、液晶ディスプレイ等の表示装置を含む。表示部１３（地区窓ともいう）は、制御部１１からの信号に従って所定の情報を表示する。操作部１２及び表示部１３は扉Ｄの前面側（すなわち火災受信機１の外壁面上）に設けられている。
【００１８】
制御部１１は、例えばＣＰＵ（Central Processing Unit）等のプロセッサを有する。制御部１１は、火災感知器が火災を感知した際に報知するための制御や、断線を検出するための制御を行う。制御部１１は、火災感知器及び終端器に接続された回線を接続するための端子を有する。
【００１９】
さらに火災報知システムＳは、火災受信機１の筐体Ｈの内部に、回線判別装置５を有する。回線判別装置５は、接続された回線を判別する装置である。回線判別装置５は、自身の端子に接続された回線を判別するための情報（すなわち該回線に接続された終端器の識別情報に基づく情報）を表示する。
【００２０】
制御部１１及び回線判別装置５は、それぞれ火災感知器及び終端器に接続された回線を接続するための端子を基板上に有する。制御部１１及び回線判別装置５は、扉Ｄの背面側（すなわち火災受信機１の筐体Ｈの内部）に設けられている。そのため、火災受信機１の扉Ｄを開放すると、制御部１１及び回線判別装置５の端子へ回線を接続する作業が可能になる。
【００２１】
図２は、本実施形態に係る火災報知システムＳが有する火災受信機１の模式図である。火災報知システムＳは、火災受信機１と、回線判別装置５と、火災感知器２と、終端器３とを含む。火災報知システムＳは、火災警報監視対象となる警戒区域ごとに、一以上の火災感知器２及び終端器３を有する。警戒区域は、例えば建物の階層、階層を分割した領域、建物内の部屋等に対応する。
【００２２】
火災感知器２は、それぞれ２本の回線Ｗ（電線）に接続されている、警戒区域内で火災が発生したことを検知するセンサである。回線Ｗは、共通線Ｃ（Ｃ１…Ｃｍ）及び感知器入力線Ｌ（Ｌ１…Ｌｎ）を含む。本実施形態では、警戒区域ごとに１本の感知器入力線Ｌ及び１本の共通線Ｃが設けられているが、感知器入力線Ｌの数ｎよりも共通線Ｃの数ｍが少なくてもよい。例えば、７本の感知器入力線Ｌに対して、１本の共通線Ｃが設けられてもよい。火災感知器２は、火災を検知すると、自身の電気的特性（例えばインピーダンス）を変化させる、あるいは回線Ｗ上に信号を送信することによって、火災受信機１に火災を検知したことを通知する。
【００２３】
終端器３は、火災感知器２が接続されている回線Ｗの、火災受信機１とは反対側の終端部に設けられる終端装置であり、火災受信機１と協働して回線Ｗの断線を検出するための処理を行う。終端器３は、回線Ｗの最も終端側（すなわち火災受信機１から最も遠い位置）にある火災感知器２に内蔵されてもよい。
【００２４】
火災受信機１は、上述の制御部１１、操作部１２及び表示部１３に加えて、通信部１４と、記憶部１５と、接続端子１６と、接続表示部１７とを有する。火災受信機１は、これ以外の部材を有してもよい。
【００２５】
通信部１４は、制御部１１が回線Ｗを介して終端器３との間で通信するための通信インターフェースである。通信部１４は、通信を実行するためのプロセッサ、コネクタ、電気回路等を含む。通信部１４は、終端器３から受信した信号に所定の処理を行ってデータを取得し、取得したデータを制御部１１に入力する。また、通信部１４は、制御部１１から入力されたデータに所定の処理を行って信号を生成し、生成した信号を終端器３に送信する。
【００２６】
記憶部１５は、ＲＯＭ（Read Only Memory）、ＲＡＭ（Random Access Memory）、ハードディスクドライブ等を含む記憶媒体である。記憶部１５は、制御部１１が実行するプログラムを予め記憶している。また、記憶部１５は、制御部１１に接続されている１つ以上の終端器３それぞれの識別情報を、該終端器３に接続された回線Ｗが接続されている接続端子１６と関連付けて記憶する。記憶部１５は、火災受信機１の外部に設けられてもよい。この場合に記憶部１５は、通信部１４を介した通信によって、制御部１１との間でデータを授受してもよい。
【００２７】
制御部１１上には、警戒区域に対応する数の接続端子１６が設けられる。具体的には、制御部１１は、火災感知器２との信号の授受を警戒区域ごとに行う地区回路を備える地区回路基板を有しており、地区回路基板上に接続端子１６が設けられている。接続端子１６には、警戒区域ごとに回線Ｗが接続される。以下では、１つの警戒区域に敷設された回線Ｗに接続されている２つの端子を、該警戒区域に対応する１つの接続端子１６とする。回線Ｗは、複数の火災感知器２に順に接続（いわゆる送り配線）され、制御部１１とは反対側の終端部において終端器３に接続される。制御部１１は、回線Ｗを介して、火災感知器２及び終端器３に電力を供給するとともに、終端器３との間で通信を行う。
【００２８】
制御部１１は、対応する警戒区域内に設置された複数の火災感知器２のいずれかから火災を検知したことが通知されると、火災を報知する。例えば制御部１１は、表示部１３上で火災が発生した警戒区域を表示する。制御部１１は、スピーカから火災が発生した警戒区域を示す音声を出力することによって、火災を報知してもよい。
【００２９】
表示部１３（地区窓）は、警戒区域に対応する数のランプ、液晶ディスプレイ等の表示装置を有する。表示部１３の複数の表示装置は、複数の接続端子１６と一対一で対応付けられている。すなわち表示部１３の各表示装置は、接続端子１６のいずれか１つと固定的に対応する。そのため、いずれかの警戒区域の火災感知器２で火災が検知されると、該警戒区域の回線Ｗに接続された接続端子１６に対応する表示部１３の表示装置が情報を表示する。
【００３０】
さらに、制御部１１は、後述の回線判別方法を実行し、その結果に基づいて接続表示部１７上で回線Ｗを判別するための情報（すなわち回線Ｗに接続された終端器３の識別情報に基づく情報）を表示する。接続表示部１７は、ランプ、７セグメントディスプレイ、液晶ディスプレイ等の表示装置を含む。接続表示部１７は、制御部１１からの信号に従って所定の情報を表示する。
【００３１】
接続表示部１７は、制御部１１の地区回路基板上で各警戒区域に対応する接続端子１６の近傍に設けられている。すなわち、接続表示部１７は、いずれかの接続端子１６に関連付けられている。接続表示部１７は、自身に関連付けられている接続端子１６に接続された回線Ｗを判別するための情報（すなわち回線Ｗに接続された終端器３の識別情報に基づく情報）を表示する。接続表示部１７は地区回路基板上で接続端子１６の近傍に設けられているため、施工者は制御部１１に回線を接続する作業時に接続端子１６から目線を大きく移動させずに、接続端子１６に係る回線判別結果を確認できる。
【００３２】
表示部１３が火災受信機１の外壁面上に設けられているのに対して、接続表示部１７は火災受信機１の筐体Ｈの内部に設けられている。そのため、制御部１１に回線を接続する作業時に扉Ｄを開放した状態で、施工者は接続表示部１７を視認して接続端子１６に接続された回線Ｗを判別することができる。
【００３３】
回線判別装置５は、制御部５１と、判別用端子５２と、接続表示部５３とを有する。回線判別装置５は、火災受信機１の筐体Ｈの内部に設けられているが、火災受信機１とは独立して作動する。本実施形態では、回線判別装置５は、火災受信機１の記憶部１５を共用しているが、独立した記憶部を有してもよい。また、回線判別装置５は、火災受信機１の通信部１４と同様の不図示の通信部を有する。
【００３４】
制御部５１は、例えばＣＰＵ等のプロセッサを有し、記憶部１５に記憶されたプログラムを実行することにより、所定の機能を実行する。制御部５１は、制御部１１とは異なり、火災を報知する機能を有さず、判別用端子５２に接続された回線Ｗを判別する機能のみを有する。
【００３５】
判別用端子５２は、接続端子１６と同様に、回線Ｗが接続される。接続表示部５３は、接続表示部１７と同様に、判別用端子５２に接続された回線Ｗを判別するための情報（すなわち回線Ｗに接続された終端器３の識別情報に基づく情報）を表示する。
【００３６】
図３は、本実施形態に係る火災報知システムＳが有する終端器３の模式図である。図３において、回線Ｗに接続された火災感知器２は省略されている。終端器３は、制御部３１と、通信部３２と、記憶部３３とを有する。終端器３は、これ以外の部材を有してもよい。
【００３７】
通信部３２は、回線Ｗを介して制御部１１との間で通信するための通信インターフェースである。通信部３２は、通信を実行するためのプロセッサ、コネクタ、電気回路等を含む。通信部３２は、火災受信機１から受信した信号に所定の処理を行ってデータを取得し、取得したデータを制御部３１に入力する。また、通信部３２は、制御部３１から入力されたデータに所定の処理を行って信号を生成し、生成した信号を火災受信機１に送信する。
【００３８】
記憶部３３は、ＲＯＭ、ＲＡＭ、ハードディスクドライブ等を含む記憶媒体である。記憶部３３は、制御部３１が実行するプログラムを予め記憶している。また、記憶部３３は、終端器３自身の識別情報を記憶する。
【００３９】
制御部３１は、例えばＣＰＵ等のプロセッサを有し、記憶部３３に記憶されたプログラムを実行することにより、所定の機能を実行する。具体的には、制御部３１は、通信部３２を用いて、後述のように応答要求信号を火災受信機１から受信し、応答信号を火災受信機１へ送信する。
【００４０】
本実施形態に係る火災報知システムＳは、図１〜図３に示す具体的な構成に限定されない。例えば火災受信機１、終端器３及び回線判別装置５は、それぞれ１つの装置に限られず、２つ以上の物理的に分離した装置が互いに接続されることにより構成されてもよい。
【００４１】
［回線判別方法の説明］
本実施形態に係る火災報知システムＳが実行する回線判別方法を、以下に説明する。終端器３の記憶部３３には、終端器３自身に固有の識別情報（ＩＤ）が設定されている。終端器３の識別情報は、例えば終端器３が設置されている警戒区域の番号、終端器３の製造番号、施工者によって設定された任意の番号等である。
【００４２】
終端器３の記憶部３３には、例えば工場からの出荷時に予め識別情報が記憶されてもよい。あるいは、施工者が、終端器３の記憶部３３に識別情報を記憶させてもよい。この場合に、施工者は、終端器３に接続された端末（パーソナルコンピュータ等）を操作することによって記憶部３３に識別情報を記憶させてもよく、終端器３に設けられたボタン、スイッチ等の操作部材を操作することによって記憶部３３に識別情報を記憶させてもよい。
【００４３】
火災受信機１に終端器３を接続する際に、施工者は、終端器３が接続された接続端子１６に関連付けて終端器３の識別情報を火災受信機１に設定する。施工者は、火災受信機１の操作部１２を用いて終端器３の識別情報を入力してもよく、火災受信機１に接続された端末（パーソナルコンピュータ等）を操作することによって終端器３の識別情報を入力してもよい。火災受信機１の制御部１１は、施工者による入力に基づいて、終端器３が接続された接続端子１６に関連付けて終端器３の識別情報を記憶部１５に記憶させる。
【００４４】
具体的には、施工者は、建物における自動火災報知設備の系統図及び各階平面図（施工図）を参照し、建物の各警戒区域に割り振られた番号を特定する。そして施工者は、警戒区域の番号と、該警戒区域に対応する接続端子１６（すなわちいずれかの表示部１３）の番号とが一致するように、該警戒区域において火災感知器２及び終端器３を施工して接続端子１６に回線Ｗを接続する。そして施工者は、警戒区域（接続端子１６）の番号と、終端器３の識別情報とを関連付けて、火災受信機１の記憶部１５に設定する。これにより、終端器３の識別情報は、警戒区域及び接続端子１６の番号と対応するようになる。
【００４５】
火災受信機１において、制御部１１は、所定の時間間隔で、あるいは施工者による指示に従って、各接続端子１６に接続されている回線Ｗを判別する。回線判別を行う際に、制御部１１は、記憶部１５から各接続端子１６に接続されている終端器３の識別情報を読み出して取得する。そして制御部１１は、接続端子１６を介して、終端器３からの応答を要求する応答要求信号を回線Ｗへ送信する。応答要求信号は、例えば所定の形状のパルス又は正弦波である。
【００４６】
回線Ｗに接続されている終端器３において、制御部３１は、火災受信機１からの応答要求信号を受信する。制御部３１は、火災受信機１から応答要求信号を受信したことを条件として、記憶部３３から終端器３自身の識別情報を読み出す。そして制御部３１は、終端器３の識別情報を示す応答信号を生成し、回線Ｗへ送信する。応答信号は、例えば終端器３の識別情報を示す形状のパルス又は正弦波である。
【００４７】
火災受信機１において、制御部１１は、接続端子１６を介して、終端器３からの応答信号を受信する。制御部１１は、ある接続端子１６に接続された回線Ｗから受信した応答信号が示す識別情報を、該接続端子１６について記憶部１５から取得した終端器３の識別情報と比較する。
【００４８】
応答要求信号の送信から所定時間以内に、記憶部１５から取得した識別情報と一致する識別情報を示す応答信号を受信できた場合（すなわち、記憶部１５から取得した識別情報と、応答信号が示す識別情報とが一致した場合）に、制御部１１は、施工者が設定した通りの終端器３に接続された回線Ｗが接続端子１６に接続されている（すなわち、接続端子１６に正しい回線Ｗが接続されている）と判定する。
【００４９】
応答要求信号の送信から所定時間以内に、記憶部１５から取得した識別情報と一致する識別情報を示す応答信号を受信できなかった場合（すなわち、記憶部１５から取得した識別情報と応答信号が示す識別情報とが一致しなかった場合）に、制御部１１は、施工者が設定した通りの終端器３に接続された回線Ｗが接続端子１６に接続されていない（すなわち、接続端子１６に誤った回線Ｗが接続されている）と判定する。
【００５０】
さらに、応答要求信号の送信から所定時間以内に応答信号自体を受信できなかった場合に、制御部１１は、接続端子１６に接続された回線Ｗに断線が発生していると判定してもよい。
【００５１】
制御部１１は、施工者が設定した通りの終端器３に接続された回線Ｗが接続端子１６に接続されているか否かを示す情報を、回線判別結果として出力する。制御部１１は、複数の接続端子１６のそれぞれについて、順に応答要求信号の送信及び応答信号の受信を繰り返す。そして制御部１１は、複数の接続端子１６のそれぞれについて回線判別結果を示す情報を、該接続端子１６に関連付けられた接続表示部１７上に表示する。
【００５２】
本実施形態では、終端器３は応答要求信号に応じて応答信号を送信するが、応答要求信号によらず応答信号を送信してもよい。この場合には、終端器３は、自身の識別情報を示す応答信号を、所定の時間間隔で回線Ｗを介して火災受信機１へ送信する。
【００５３】
図４（ａ）、図４（ｂ）は、応答要求信号及び応答信号の模式図である。図４（ａ）、図４（ｂ）は、それぞれ回線Ｗに印加されている電圧の時間変化のグラフである。図４（ａ）は、パルス波を用いて応答要求信号及び応答信号を伝送する例を示す。火災受信機１の制御部１１は、応答要求信号を送信する際に、応答要求信号を示すパルスになるように回線Ｗの電圧を制御する。また、終端器３の制御部３１は、応答信号を送信する際に、応答信号を示すパルスになるように回線Ｗの電圧を制御する。
【００５４】
パルスは、高電圧（例えば１０Ｖ）と低電圧（例えば０Ｖ）とが交互に出現する状態である。火災受信機１の制御部１１及び終端器３の制御部３１は、例えばパルスの頻度や幅を所定の規則に従って制御することによって、応答要求信号及び応答信号とパルスとの間で情報を変換する。
【００５５】
図４（ｂ）は、正弦波を用いて応答要求信号及び応答信号を伝送する例を示す。火災受信機１の制御部１１は、応答要求信号を送信する際に、応答要求信号を示す正弦波になるように回線Ｗの電圧を制御する。また、終端器３の制御部３１は、応答信号を送信する際に、応答信号を示す正弦波になるように回線Ｗの電圧を制御する。
【００５６】
正弦波は、電圧が正弦関数として記述される周期的な波形となる状態である。火災受信機１の制御部１１及び終端器３の制御部３１は、例えば正弦波の周波数や振幅を所定の規則に従って制御することによって、応答要求信号及び応答信号と正弦波との間で情報を変換する。
【００５７】
火災感知器２には、火災を検知した場合に検知状態となり、その後に回線Ｗが所定の時間以上、所定の電圧（例えば５Ｖ）以下に設定されると検知状態を解除して復旧するものがある。そのため、火災受信機１及び終端器３は、応答要求信号及び応答信号を示すパルス又は正弦波において連続的に所定の電圧以下になる時間を、火災感知器２が検知状態を解除する所定の時間よりも短くする。これにより、応答要求信号及び応答信号によって意図せず火災感知器２の検知状態が解除されることを防ぐことができる。
【００５８】
火災受信機１及び終端器３は、図４（ａ）、図４（ｂ）に示した伝送方法に限定されず、回線Ｗを介して応答要求信号及び応答信号を伝送可能なその他方法を用いることができる。図４（ａ）、図４（ｂ）の例では、３０秒ごとに火災受信機１から応答要求信号が送信され、５０ミリ秒の応答要求信号及び応答信号が伝送されているが、信号の送信間隔及び長さは具体的な値に限定されない。
【００５９】
図５（ａ）、図５（ｂ）は、本実施形態に係る接続表示部１７の前面図である。火災受信機１の制御部１１は、終端器３（回線Ｗ）から受信した信号が示す識別情報に対応する回線判別結果（すなわち、接続端子１６を介して受信した信号が示す、回線Ｗに接続された終端器３の識別情報に対応する情報）を表示するように、接続表示部１７を制御する。接続表示部１７は、接続端子情報１７１と、第１ランプ１７２と、第２ランプ１７３とを有する。
【００６０】
接続端子情報１７１は、接続表示部１７に関連付けられた接続端子１６を識別する番号又は文字列である。例えば１０個（１０組）の接続端子１６が設けられている場合に、接続端子情報１７１は、Ｌ１〜Ｌ１０の文字列のいずれかである。
【００６１】
第１ランプ１７２は、接続端子１６に正しい回線Ｗが接続されていることを示す電灯である。第２ランプ１７３は、接続端子１６に誤った回線Ｗが接続されていることを示す電灯である。例えば第１ランプ１７２及び第２ランプ１７３は、それぞれＬＥＤ（Light Emitting Diode）である。
【００６２】
制御部１１は、接続表示部１７に関連付けられた接続端子１６に正しい回線Ｗが接続されていると判定した場合に、図５（ａ）のように第１ランプ１７２を点灯させるとともに、第２ランプ１７３を消灯させる。一方、制御部１１は、接続表示部１７に関連付けられた接続端子１６に誤った回線Ｗが接続されていると判定した場合に、図５（ｂ）のように第１ランプ１７２を消灯させるとともに、第２ランプ１７３を点灯させる。すなわち接続表示部１７は、接続端子１６に正しい回線Ｗが接続されているか否かの情報を、第１ランプ１７２及び第２ランプ１７３のうちどちらが点灯しているかによって表示する。
【００６３】
接続表示部１７は、火災受信機１の筐体Ｈの内部において、自身に関連付けられた接続端子１６の近傍に設けられている。このような構成により、施工者は火災受信機１の扉Ｄを閉じることなく接続端子１６に正しい回線Ｗが接続されているかを確認できるため、接続端子１６に回線Ｗを接続する作業が容易になる。
【００６４】
さらに制御部１１は、接続端子１６に接続された回線Ｗに断線が発生していると判定した場合に、第１ランプ１７２及び第２ランプ１７３の少なくとも一方を点滅させてもよい。これにより、接続表示部１７は、回線Ｗの断線を示す情報を、回線Ｗの誤接続を示す情報と区別して施工者に通知できる。
【００６５】
図６は、本実施形態に係る接続表示部１７の変形例の前面図である。図６の接続表示部１７は、上述の接続端子情報１７１、第１ランプ１７２及び第２ランプ１７３に加えて、ディスプレイ１７４を有する。ここではディスプレイ１７４は、７セグメントディスプレイであるが、液晶ディスプレイ等のその他の表示装置であってもよい。
【００６６】
制御部１１は、終端器３からの応答信号が示す識別情報の少なくとも一部を、ディスプレイ１７４上に表示する。図６では、終端器３の識別情報が「Ｌ２」であり、ディスプレイ１７４はそのうち「２」を表示している。なお、施工者は火災受信機１に対してこの接続端子１６に「Ｌ１」の識別情報を有する終端器が接続されるように設定しているため、誤接続を示す第２ランプ１７３が点灯している。
【００６７】
このような構成により、接続表示部１７は、接続端子１６に正しい回線Ｗが接続されているか否かの情報に加えて、実際に接続端子１６に接続されている回線Ｗに接続された終端器３の識別情報を、接続端子１６を介して受信した信号が示す、回線Ｗに接続された終端器３の識別情報に対応する情報として表示できる。そのため施工者は、接続端子１６に誤った回線Ｗを接続した場合であっても、その回線Ｗを正しい接続端子１６へ容易に接続し直すことができる。
【００６８】
［回線判別装置５の構成］
回線判別装置５は、上述の回線判別方法を、制御部１１とは独立して実行する。図７（ａ）は、本実施形態に係る回線判別装置５の前面図である。図７（ａ）において、外部から視認できない部分は破線で表されている。
【００６９】
判別用端子５２は、回線判別装置５の外部に露出している。判別用端子５２に回線Ｗの端部を接触させることによって、回線Ｗは判別用端子５２に一時的に接続される。
【００７０】
接続表示部５３は、接続端子選択部５３１と、第１ランプ５３２と、第２ランプ５３３と、ディスプレイ５３４とを有する。第１ランプ５３２、第２ランプ５３３及びディスプレイ５３４は、図５、図６の第１ランプ１７２、第２ランプ１７３及びディスプレイ１７４と同様である。
【００７１】
接続端子選択部５３１は、施工者が回線判別の対象とする接続端子１６の選択を受け付ける操作部である。例えば接続端子選択部５３１は、接続端子１６を識別する番号又は文字列（例えばＬ１〜Ｌ１０の文字列）のいずれかを選択可能なダイヤルである。図７（ａ）では、接続端子選択部５３１において「Ｌ１」が選択されている。接続端子選択部５３１は、施工者による選択内容を示す信号を、制御部５１へ送信する。
【００７２】
回線判別装置５の制御部５１は、接続端子選択部５３１において選択された接続端子１６について、上述の回線判別方法を実行する。具体的には、制御部５１は、接続端子選択部５３１において選択された接続端子１６に接続されている終端器３の識別情報を、記憶部１５から読み出して取得する。
【００７３】
そして制御部５１は、判別用端子５２を介して、終端器３からの応答を要求する応答要求信号を回線Ｗへ送信する。その後、制御部５１は、判別用端子５２を介して、終端器３からの応答信号を受信する。制御部５１は、判別用端子５２に接続された回線Ｗから受信した応答信号が示す識別情報を、選択された接続端子１６について記憶部１５から取得した終端器３の識別情報と比較する。
【００７４】
応答要求信号の送信から所定時間以内に、記憶部１５から取得した識別情報と一致する識別情報を示す応答信号を受信できた場合（すなわち、記憶部１５から取得した識別情報と応答信号が示す識別情報とが一致した場合）に、制御部５１は、接続端子選択部５３１において選択された接続端子１６について、施工者が設定した通りの終端器３に接続された回線Ｗが判別用端子５２に接続されていると判定する。
【００７５】
応答要求信号の送信から所定時間以内に、記憶部１５から取得した識別情報と一致する識別情報を示す応答信号を受信できなかった場合（すなわち、記憶部１５から取得した識別情報と応答信号が示す識別情報とが一致しなかった場合）に、制御部５１は、接続端子選択部５３１において選択された接続端子１６について、施工者が設定した通りの終端器３に接続された回線Ｗが判別用端子５２に接続されていない（すなわち、接続端子１６に誤った回線Ｗが接続されている）と判定する。
【００７６】
さらに、応答要求信号の送信から所定時間以内に応答信号自体を受信できなかった場合に、制御部５１は、判別用端子５２に接続された回線Ｗに断線が発生していると判定してもよい。
【００７７】
制御部５１は、施工者が設定した通りの終端器３に接続された回線Ｗが判別用端子５２に接続されているか否かを示す情報を、回線判別結果として出力する。そして制御部５１は、終端器３（回線Ｗ）から受信した信号が示す識別情報に対応する回線判別結果を示す情報（すなわち、判別用端子５２を介して受信した信号が示す、回線Ｗに接続された終端器３の識別情報に対応する情報）を、接続表示部５３上に表示する。接続表示部５３は、判別用端子５２に正しい回線Ｗが接続されているか否かの情報を、第１ランプ５３２及び第２ランプ５３３のうちどちらが点灯しているかによって表示する。また、制御部５１は、終端器３からの応答信号が示す識別情報の少なくとも一部を、ディスプレイ５３４上に表示する。
【００７８】
さらに、制御部５１は、判別用端子５２に接続された回線Ｗに断線が発生していると判定した場合に、第１ランプ５３２及び第２ランプ５３３の少なくとも一方を点滅させてもよい。
【００７９】
施工者は、回線Ｗを制御部１１の接続端子１６に接続する前に、回線判別装置５の判別用端子５２に一時的に接続し、回線判別装置５を用いて回線Ｗを判別する。これにより、施工者は、制御部１１が有する複数の接続端子１６のうちいずれの接続端子１６に回線Ｗをすべきかを知ることができるため、回線Ｗの接続作業を容易にすることができる。
【００８０】
図７（ｂ）は、本実施形態に係る回線判別装置５の変形例の前面図である。図７（ｂ）において、外部から視認できない部分は破線で表されている。図７（ｂ）の回線判別装置５は、図７（ａ）の回線判別装置５と比較して、接続端子選択部５３１、第１ランプ５３２及び第２ランプ５３３が省略され、ディスプレイ５３４のみを有している。
【００８１】
図７（ｂ）に示す回線判別装置５は、接続端子１６ごとの誤接続を判定する機能を有しないものの、判別用端子５２に接続された回線Ｗ（終端器３）の識別情報の少なくとも一部を、回線を判別するための情報（すなわち、判別用端子５２を介して受信した信号が示す、回線Ｗに接続された終端器３の識別情報に対応する情報）として出力できる。
【００８２】
［回線判別方法のフローチャート］
図８は、本実施形態に係る火災報知システムＳが行う回線判別方法のフローチャートを示す図である。ここでは火災受信機１を主体として説明するが、回線判別装置５も同様に回線判別方法を実行可能である。本実施形態では、火災受信機１及び回線判別装置５の両方が回線判別方法を実行可能に構成されているが、火災受信機１及び回線判別装置５のどちらか一方のみが回線判別方法を実行可能に構成されてもよい。
【００８３】
まず火災受信機１において、制御部１１は記憶部１５から、接続端子１６の数と、接続端子１６ごとに設定された終端器３の識別情報とを取得する（Ｓ１１）。終端器３の識別情報が未設定の接続端子１６については無視してもよい。制御部１１は、処理対象の番号ｉを１（初期値）に設定する（Ｓ１２）。
【００８４】
制御部１１は、ステップＳ１１で識別情報を取得した接続端子１６のうち、ｉ番目の接続端子１６を介して応答要求信号を回線Ｗに送信する（Ｓ１３）。このとき、制御部１１は、終端器３からの応答信号を待つ時間を示す応答待ちタイマーを開始する（Ｓ１４）。
【００８５】
回線Ｗに接続されている終端器３において、制御部３１は、火災受信機１から応答要求信号を受信したことを条件として、記憶部３３から終端器３自身の識別情報を読み出す。そして制御部３１は、終端器３の識別情報を示す応答信号を回線Ｗに送信する。
【００８６】
火災受信機１において、制御部１１は、終端器３からの応答信号を受信する（Ｓ１５）。制御部１１は、ステップＳ１５で受信した応答信号が示す識別情報を、ステップＳ１１で記憶部１５から取得したｉ番目の接続端子１６に係る識別情報と比較する。記憶部１５から取得した識別情報と応答信号が示す識別情報とが一致した場合に（Ｓ１６のＹＥＳ）、制御部１１は、ｉ番目の接続端子１６について、正しい回線Ｗ（終端器３）が接続されていると判定する（Ｓ１７）。
【００８７】
記憶部１５から取得した識別情報と応答信号が示す識別情報とが一致しない場合（あるいはステップＳ１４のタイマーが所定時間を経過した場合）に（Ｓ１６のＮＯ）、制御部１１は、ｉ番目の接続端子１６について、誤った回線Ｗ（終端器３）が接続されていると判定する（Ｓ１８）。ここで、ステップＳ１４のタイマーが所定時間を経過しても制御部１１が終端器３からの応答信号を受信しなかった場合に、制御部１１は、ｉ番目の接続端子１６について、断線が発生していると判定してもよい。
【００８８】
制御部１１は、ステップＳ１７又はＳ１８における判定結果を示す情報を、ｉ番目の接続端子１６に関連付けられた接続表示部１７上に表示する（Ｓ１９）。このとき、制御部１１は、ステップＳ１５で受信した応答信号が示す識別情報の少なくとも一部を表す情報を、接続表示部１７上に表示してもよい。
【００８９】
制御部１１は、処理対象の番号ｉに１を加える（Ｓ２０）。番号ｉがステップＳ１１で取得した接続端子１６の数を超えていない場合に（Ｓ２１のＮＯ）、制御部１１はステップＳ１３〜Ｓ２０を繰り返す。番号ｉがステップＳ１１で取得した接続端子１６の数を超えた場合に（Ｓ２１のＹＥＳ）、制御部１１は処理を終了する。
【００９０】
［本実施形態の効果］
本実施形態に係る火災受信機１及び回線判別装置５は、施工者が接続端子１６に正しい回線Ｗを接続する作業が容易にする。具体的には、火災受信機１は、火災受信機１の筐体の内部において、接続端子１６ごとに設けられた接続表示部１７上に、接続端子１６に接続された回線Ｗを判別するための情報を表示する。
【００９１】
火災受信機１に回線Ｗを接続する作業においては、筐体Ｈの扉Ｄを開放した状態で複数の接続端子１６に正しい回線Ｗを接続する必要がある。本実施形態に係る火災受信機１によれば、筐体Ｈの扉Ｄを開放した状態で、施工者は接続表示部１７を視認して接続端子１６に接続された回線Ｗを判別できる。このような構成により、施工者は、接続端子１６に誤った回線Ｗを接続したとしても、いちいち扉Ｄを閉じずに正しい回線Ｗを容易に接続し直すことができる。
【００９２】
また、回線判別装置５は、火災受信機１の筐体の内部において、判別用端子５２に一時的に接続された回線Ｗを判別するための情報を、接続表示部５３上に表示する。このような構成により、施工者は、火災受信機１の接続端子１６に回線Ｗを接続する前に回線Ｗを判別できるため、火災受信機１の接続端子１６に正しい回線Ｗを容易に接続できる。
【００９３】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【００９４】
火災受信機１又は回線判別装置５のプロセッサは、図８に示す回線判別方法に含まれる各ステップ（工程）の主体となる。すなわち、火災受信機１又は回線判別装置５のプロセッサは、図８に示す回線判別方法を実行するためのプログラムを記憶部から読み出し、該プログラムを実行して火災受信機１又は回線判別装置５の各部を制御することによって、図８に示す回線判別方法を実行する。図８に示す回線判別方法に含まれるステップは一部省略されてもよく、ステップ間の順番が変更されてもよく、複数のステップが並行して行われてもよい。
【符号の説明】
【００９５】
Ｓ  火災報知システム
１  火災受信機
２  火災感知器
３  終端器
１１  制御部
１３  表示部
１４  通信部
１５  記憶部
１６  接続端子
１７  接続表示部
５  回線判別装置
５１  制御部
５２  判別用端子
５３  接続表示部
【図１】
2019175153.tif 000003
【図２】
2019175153.tif 000004
【図３】
2019175153.tif 000005
【図４】
2019175153.tif 000006
【図５】
2019175153.tif 000007
【図６】
2019175153.tif 000008
【図７】
2019175153.tif 000009
【図８】
2019175153.tif 000010